(57)【要約】      （修正有）【課題】  多種類の仕様の圧電シートに適用する、製造コストが低減できる改良式圧電変圧器の担持体を提供する。【解決手段】  本考案は、例えば、シリカゲルである伸縮可能な弾性材からプレス成形され、改良した方式で圧電シートを支承することにより、単一仕様の担持体により、多種類の仕様の圧電シートに適用する、製造コストが低減できる改良式圧電変圧器の担持体を提供する。また、他の実施例は、圧電変圧器出力端と入力端のリードを直接に担持体に統合し、これにより、導電接点の溶接フラックスの品質や質量の一致性と、高頻度作動に対する導電接点の適応性とが向上される。【選択図】  図3
0003108101.tif 000002
【実用新案登録請求の範囲】
【請求項１】
弾性材から製作され、少なくとも、
圧電シートを支承する、ビヒクル主体と、
両端が当該ビヒクル主体上に連結され、当該圧電シートを固定する、中間拘束帯と、
当該ビヒクル主体の四隅の上縁に連結され、当該圧電シートを挟む、四つの係合素子と、
当該中間拘束帯の下方の当該ビヒクル主体上に位置し、当該圧電シートを舞い上げる、二つのバンプと、が含有せる、
ことを特徴とする、改良式圧電変圧器のビヒクル。
【請求項２】
当該弾性材は、伸縮可能な特性を有する、ことを特徴とする請求項1に記載の改良式圧電変圧器のビヒクル。
【請求項３】
当該弾性材は、シリカゲル及び当該シリカゲルの派生製品から選ばれる、ことを特徴とする請求項1に記載の改良式圧電変圧器のビヒクル。
【請求項４】
当該圧電変圧器のビヒクルの構造は、プレス成形により、一体成形である、ことを特徴とする請求項1に記載の改良式圧電変圧器のビヒクル。
【請求項５】
当該中間拘束帯は、伸縮可能であり、各種類のサイズの当該圧電シートに適用できる、ことを特徴とする請求項1に記載の改良式圧電変圧器のビヒクル。
【請求項６】
当該圧電シートが、当該ビヒクル主体上に支承される時、当該中間拘束帯は、当該圧電シートの中央部に位置する、ことを特徴とする請求項1に記載の改良式圧電変圧器のビヒクル。
【請求項７】
当該ビヒクルには、更に、四つのほぞが設けられ、前記の四つのほぞが当該ビヒクル主体の四隅の下縁に連結されることにより、当該ビヒクル主体が外部素子上に固定される、ことを特徴とする請求項1に記載の改良式圧電変圧器のビヒクル。
【請求項８】
当該圧電シートの回路の設置は、
当該圧電シートの出力端には、リードが連結され、当該リードには、更に、パッドが連結され、また、半田付けにより、外部素子と連結され、
当該圧電シートの入力端を当該圧電シートの直下方に設置され、当該入力端には、導電シートが連結され、
当該圧電変圧器のビヒクルを射出成形する時、当該圧電シートの入力端リードを埋め込み、当該ビヒクル主体を貫通して、一つの端点は、電極に連結され、当該ビヒクルのバンプから露出し、もう一方の端点は、パッドに連結され、当該ビヒクル主体の外側から露出し、
当該導電シートは、当該圧電シートの入力端により、露出する当該バンプの当該電極と接触し、当該リードを介して、当該パッドで外部素子と連結される、ことを特徴とする請求項1に記載の改良式圧電変圧器のビヒクル。
【請求項９】
当該圧電シートの出力端リードのもう一方のパッドと、当該入力端に対応して、当該ビヒクル主体内に埋め込まれるリードのもう一方のパッドとは、直接に外部素子上の任意の位置に連結されるかや、当該係合素子を介して固定される位置に連結されるかにより、当該外部素子に連結される、ことを特徴とする請求項8に記載の改良式圧電変圧器のビヒクル。
【請求項１０】
当該外部素子は、回路基板や電子素子から選ばれる、ことを特徴とする請求項1、7から9までに記載の改良式圧電変圧器のビヒクル。
【考案の詳細な説明】
【技術分野】
【０００１】
本考案は、改良式圧電変圧器のビヒクルに関し、特に、伸縮可能な弾性材から作製され、多種類の仕様の圧電シートが適用できる圧電変圧器のビヒクルに関する。
【背景技術】
【０００２】
従来の技術は、図1A及び図1Bのように、圧電変圧器1は、一般に、圧電シート11があり、また、入力端13と出力端14とを有し、当該入力端13と出力端14にリード15が接続され、リード15の末端に、パッドがある。
【０００３】
実施例では、当該圧電変圧器1は、プラスチックでダイキャスト成形されるビヒクル3の支承槽31に置かれ、そして、圧電変圧器1のリード15のパッド17を外部素子7に半田付け、例えば回路基板であれば、最後にビヒクル3をひっくり返り、その中、パッド17が所定の位置に置かれ、一般的に、支承槽31上にある突出部33であり、当該突出部33には、ビヒクル3をひっくり返られた後、下へ滑っていく圧電変圧器1を支承する機能がある。
【０００４】
圧電変圧器1の機能は、電圧と応力とが互いに変換することに関するため、圧電シート11の仕様により、変換される電圧の大きさや操作頻度に、影響を与える、異なる使用要請に対応して、異なる仕様の圧電シート11が提供されるが、ビヒクル3は、大きい範囲の伸縮性を有しないプラスチック材であり、また、上記の異なる仕様の圧電シート11に適用されるため、個別な圧電シート11に対して、鋳型を作ってビヒクル3をダイキャストする必要があるので、製造コストが向上するのは、当然なことである。
【考案の開示】
【考案が解決しようとする課題】
【０００５】
本考案の主な目的は、伸縮可能な弾性材から作製され、圧電シートの仕様に対する適用性が向上されるだけでなく、製造コストを低減できる効果を持つ、改良式圧電変圧器のビヒクルを提供する。
【０００６】
本考案の他の目的は、圧電シートに対する実用的な連結モードを提供して、導電接点の溶接フラックスの品質や質量の一致性と、高頻度作動に対する適応性とが向上される、改良式圧電変圧器のビヒクルを提供する。
【課題を解決するための手段】
【０００７】
上記の目的を達成するため、本考案の改良式圧電変圧器のビヒクルは、例えばシリカゲルである伸縮可能な弾性材で、プレス成形され、これにより、ビヒクルは、適当に変形して、各種類のサイズの圧電変圧器に適応できる。
【０００８】
以下、図面を参照しながら、具体的な実施例により、詳しく説明し、これにより、本考案の目的や技術内容、特点及び達成効果が良く分かるようになる。
【考案の効果】
【０００９】
本考案の改良式圧電変圧器のビヒクルは、伸縮可能な弾性材から作製され、圧電シートの仕様に対する適用性が向上されるだけでなく、製造コストを低減できる効果を持つ。
また、圧電シートに対する実用的な連結モードを提供して、導電接点の溶接フラックスの品質や質量の一致性と、高頻度作動に対する適応性とが向上される。
【考案を実施するための最良の形態】
【００１０】
本考案に係わる改良式圧電変圧器のビヒクルは、例えば、シリカゲルである、伸縮可能な弾性材からプレス成形され、本考案は、この伸縮可能な特性を利用して、従来の従来技術の欠点を解消する。
【００１１】
図2は、本考案に係わる改良式圧電変圧器のビヒクル5であり、例えば、シリカゲルである、伸縮可能な特性を有する弾性材からプレス成形され、上記のビヒクル5には、伸縮可能な特性を有する、ビヒクル主体51と、中間拘束帯53と、四つの係合素子55と、二つのバンプ57とがあり、その中、当該ビヒクル主体51は、平板状であり、中間拘束帯53の両端は、当該ビヒクル主体51の約中央部に連結され、係合素子55は、当該ビヒクル主体51の四隅の上縁に連結され、バンプ57は、当該中間拘束帯53の下方に対向する当該ビヒクル主体51上に位置する。
【００１２】
図3は、本考案の具体的な実施例であり、圧電変圧器1の主体圧電シート11は、改良式圧電変圧器5のビヒクル主体51上に支承され、ビヒクル主体51と中間拘束帯53とに、ともに伸縮可能であるため、両者が互いに收縮することにより、圧電シート11を固定し、同じように、四つの收縮可能な特性を有する係合素子55は、圧電シート11を挟むことに補助し、そして、二つのバンプ57は、当該圧電シート11を支承して、当該圧電シート11をビヒクル主体51の上に舞い上げるようになり、そして、パッド17は、係合素子55とビヒクル主体51の下縁に置かれ、側面から見ると、約L形状の位置で、外部素子7に半田付け、例えば、回路基板であり、従来の技術と異なるのは、本実施例において、ビヒクル5をひっくり返る必要がなく、図4Bのように、一般的に、更に、ビヒクル主体51の四隅の下縁に、ほぞ59を増設することにより、ビヒクル主体51と外部素子7との連結を強化する。
【００１３】
図4Aは、具体的な実施例であり、改良式ビヒクル5が伸縮可能であるため、支承する圧電シート11のサイズが異なることにしたがって、細微に伸縮するから、仕様上では、大幅に広く対応でき、従来技術において異なる仕様である圧電シート11に対して、独自な鋳型を作る必要がある欠点を解決でき、大幅にコストを節約できる。
【００１４】
図５は、本考案に係わる具体的な実施例であり、圧電変圧器1を設置する実施の態様であり、圧電シート11の工程において、出力端14を圧電シートの傍に設置して、順にリード15及びパッド17を連結し、半田付け点とするパッド17を介して、外部素子7に連結され、半田付けにより、回路を形成する方法であり、入力端13は、圧電シート11の下方に設けられ、従来のリード15とパッド17との代わりに、導電シート18を設置し、そして、圧電変圧器のビヒクル5工程においては、変化があり、ビヒクル主体51の射出成形した後に、一つの工程を増加して、圧電シート11の付属のリード15をビヒクル主体51の中に埋め込み、端点部分に、二つのバンプ57から露出する電極19が増設され、リード15のもう一方の端点は、依然として、ビヒクル主体51の外側まで伸ばすパッド17が連結され、また、実行時、圧電シート11の支承方式は、依然として中間拘束帯53によって固定され、また、四つの係合素子55に挟まれ、両バンプ57は、このように変化された後、元の圧電シート11を舞い上げるように支承する作用を持つだけでなく、導電接点とする作用も持ち、他の設計は、前記の実施例と同一であり、この変化例を提供するのは、二つの目的があり、その一つである導電シート18は、直接にビヒクル主体51上に埋め込まれた、両バンプ57から露出する電極19に連結され、また、ビヒクル主体51を貫通するリード15と、外部素子7とにより、回路が形成され、これにより、一般な、パッド17を適用する時、半田付け点においての溶接フラックスの品質や質量が不均一であることにより導電接点の環境に微妙な差異が発生することを防止でき、そして、導電接点の性能一致性が向上され、他の目的は、導電シート18と電極19とが、接触により、回路を形成するため、半田付け点により回路を成形する時、圧電シート11が高頻度作動することによる、半田付け点が脱落して、接触不良になる状況が改善でき、そのため、圧電シート11が高頻度作動する時の適応性が向上される。
【００１５】
本考案は、改良式圧電変圧器のビヒクルであり、伸縮可能な特性と、改良された支承方式により、従来技術の製造コストが高く付くことと、設計や応用上の欠点が改良される。以上の説明は、ただ、本考案のより良い実施例であり、それにより、本考案の実施範囲が制限されるものではない。故に、本考案の登録請求の範囲に記載される形状や構造、特徴或いは精神に従って、等価な変化や変更は、すべてが、本考案の登録請求の範囲に含まれている。
【図面の簡単な説明】
【００１６】
【図１Ａ】従来技術の実施例の概念図である。
【図１Ｂ】従来技術の他の実施例の概念図である。
【図２】本考案に係わる改良式圧電変圧器の概念図である。
【図３】本考案の実施例の概念図である。
【図４Ａ】本考案の実施例の上面概念図である。
【図４Ｂ】本考案の実施例の断面概念図である。
【図５】本考案の他の実施例の概念図である。
【符号の説明】
【００１７】
１     圧電変圧器
１１   圧電シート
１３   入力端
１４   出力端
１５   リード
１７   パッド
３     圧電変圧器のビヒクル
３１   支承槽
３３   突出部
５     改良式圧電変圧器のビヒクル
５１   ビヒクル主体
５３   中間拘束帯
５５   係合素子
５７   バンプ
５９   ほぞ
７     外部素子
【図１Ａ】
0003108101.tif 000003
【図１Ｂ】
0003108101.tif 000004
【図２】
0003108101.tif 000005
【図３】
0003108101.tif 000006
【図４Ａ】
0003108101.tif 000007
【図４Ｂ】
0003108101.tif 000008
【図５】
0003108101.tif 000009
【手続補正書】
【提出日】平成16年11月4日(2004.11.4)
【手続補正２】
【補正対象書類名】実用新案登録請求の範囲
【補正対象項目名】全文
【補正方法】変更
【補正の内容】
【実用新案登録請求の範囲】
【請求項１】
弾性材から製作され、少なくとも、
圧電シートを支承する、担持体本体と、
両端が当該担持体本体上に連結され、当該圧電シートを固定する、中間拘束帯と、
当該担持体本体の四隅の上縁に連結され、当該圧電シートを挟む、四つの係合素子と、
当該中間拘束帯の下方の当該担持体本体上に位置し、当該圧電シートを舞い上げる、二つのバンプと、が含有せる、
ことを特徴とする、改良式圧電変圧器の担持体。
【請求項２】
当該弾性材は、伸縮可能な特性を有する、ことを特徴とする請求項1に記載の改良式圧電変圧器の担持体。
【請求項３】
当該弾性材は、シリカゲル及び当該シリカゲルの派生製品から選ばれる、ことを特徴とする請求項1に記載の改良式圧電変圧器の担持体。
【請求項４】
当該圧電変圧器の担持体の構造は、プレス成形により、一体成形である、ことを特徴とする請求項1に記載の改良式圧電変圧器の担持体。
【請求項５】
当該中間拘束帯は、伸縮可能であり、各種類のサイズの当該圧電シートに適用できる、ことを特徴とする請求項1に記載の改良式圧電変圧器の担持体。
【請求項６】
当該圧電シートが、当該担持体本体上に支承される時、当該中間拘束帯は、当該圧電シートの中央部に位置する、ことを特徴とする請求項1に記載の改良式圧電変圧器の担持体。
【請求項７】
当該担持体には、更に、四つのほぞが設けられ、前記の四つのほぞが当該担持体本体の四隅の下縁に連結されることにより、当該担持体本体が外部素子上に固定される、ことを特徴とする請求項1に記載の改良式圧電変圧器の担持体。
【請求項８】
当該圧電シートの回路の設置は、
当該圧電シートの出力端には、リードが連結され、当該リードには、更に、パッドが連結され、また、半田付けにより、外部素子と連結され、
当該圧電シートの入力端を当該圧電シートの直下方に設置され、当該入力端には、導電シートが連結され、
当該圧電変圧器の担持体を射出成形する時、当該圧電シートの入力端リードを埋め込み、当該担持体本体を貫通して、一つの端点は、電極に連結され、当該担持体のバンプから露出し、もう一方の端点は、パッドに連結され、当該担持体本体の外側から露出し、
当該導電シートは、当該圧電シートの入力端により、露出する当該バンプの当該電極と接触し、当該リードを介して、当該パッドで外部素子と連結される、ことを特徴とする請求項1に記載の改良式圧電変圧器の担持体。
【請求項９】
当該圧電シートの出力端リードのもう一方のパッドと、当該入力端に対応して、当該担持体本体内に埋め込まれるリードのもう一方のパッドとは、直接に外部素子上の任意の位置に連結されるか、当該係合素子を介して固定される位置に連結されるかにより、当該外部素子に連結される、ことを特徴とする請求項8に記載の改良式圧電変圧器の担持体。
【請求項１０】
当該外部素子は、回路基板や電子素子から選ばれる、ことを特徴とする請求項1、7から9までに記載の改良式圧電変圧器の担持体。
【手続補正３】
【補正対象書類名】明細書
【補正対象項目名】全文
【補正方法】変更
【補正の内容】
【考案の詳細な説明】
【技術分野】
【０００１】
本考案は、改良式圧電変圧器の担持体に関し、特に、伸縮可能な弾性材から作製され、多種類の仕様の圧電シートが適用できる圧電変圧器の担持体に関する。
【背景技術】
【０００２】
従来の技術は、図1A及び図1Bのように、圧電変圧器1は、一般に、圧電シート11があり、また、入力端13と出力端14とを有し、当該入力端13と出力端14にリード15が接続され、リード15の末端に、パッドがある。
【０００３】
実施例では、当該圧電変圧器1は、プラスチックでダイキャスト成形される担持体3の支承槽31に置かれ、そして、圧電変圧器1のリード15のパッド17を外部素子7に半田付け、例えば回路基板であれば、最後に担持体3をひっくり返り、その中、パッド17が所定の位置に置かれ、一般的に、支承槽31上にある突出部33であり、当該突出部33には、担持体3をひっくり返られた後、下へ滑っていく圧電変圧器1を支承する機能がある。
【０００４】
圧電変圧器1の機能は、電圧と応力とが互いに変換することに関するため、圧電シート11の仕様により、変換される電圧の大きさや操作頻度に、影響を与える、異なる使用要請に対応して、異なる仕様の圧電シート11が提供されるが、担持体3は、大きい範囲の伸縮性を有しないプラスチック材であり、また、上記の異なる仕様の圧電シート11に適用されるため、個別な圧電シート11に対して、鋳型を作って担持体3をダイキャストする必要があるので、製造コストが向上するのは、当然なことである。
【考案の開示】
【考案が解決しようとする課題】
【０００５】
本考案の主な目的は、伸縮可能な弾性材から作製され、圧電シートの仕様に対する適用性が向上されるだけでなく、製造コストを低減できる効果を持つ、改良式圧電変圧器の担持体を提供する。
【０００６】
本考案の他の目的は、圧電シートに対する実用的な連結モードを提供して、導電接点の溶接フラックスの品質や質量の一致性と、高頻度作動に対する適応性とが向上される、改良式圧電変圧器の担持体を提供する。
【課題を解決するための手段】
【０００７】
上記の目的を達成するため、本考案の改良式圧電変圧器の担持体は、例えばシリカゲルである伸縮可能な弾性材で、プレス成形され、これにより、担持体は、適当に変形して、各種類のサイズの圧電変圧器に適応できる。
【０００８】
以下、図面を参照しながら、具体的な実施例により、詳しく説明し、これにより、本考案の目的や技術内容、特点及び達成効果が良く分かるようになる。
【考案の効果】
【０００９】
本考案の改良式圧電変圧器の担持体は、伸縮可能な弾性材から作製され、圧電シートの仕様に対する適用性が向上されるだけでなく、製造コストを低減できる効果を持つ。
また、圧電シートに対する実用的な連結モードを提供して、導電接点の溶接フラックスの品質や質量の一致性と、高頻度作動に対する適応性とが向上される。
【考案を実施するための最良の形態】
【００１０】
本考案に係わる改良式圧電変圧器の担持体は、例えば、シリカゲルである、伸縮可能な弾性材からプレス成形され、本考案は、この伸縮可能な特性を利用して、従来の従来技術の欠点を解消する。
【００１１】
図2は、本考案に係わる改良式圧電変圧器の担持体5であり、例えば、シリカゲルである、伸縮可能な特性を有する弾性材からプレス成形され、上記の担持体5には、伸縮可能な特性を有する、担持体本体51と、中間拘束帯53と、四つの係合素子55と、二つのバンプ57とがあり、その中、当該担持体本体51は、平板状であり、中間拘束帯53の両端は、当該担持体本体51の約中央部に連結され、係合素子55は、当該担持体本体51の四隅の上縁に連結され、バンプ57は、当該中間拘束帯53の下方に対向する当該担持体本体51上に位置する。
【００１２】
図3は、本考案の具体的な実施例であり、圧電変圧器1の本体圧電シート11は、改良式圧電変圧器5の担持体本体51上に支承され、担持体本体51と中間拘束帯53とに、ともに伸縮可能であるため、両者が互いに收縮することにより、圧電シート11を固定し、同じように、四つの收縮可能な特性を有する係合素子55は、圧電シート11を挟むことに補助し、そして、二つのバンプ57は、当該圧電シート11を支承して、当該圧電シート11を担持体本体51の上に舞い上げるようになり、そして、パッド17は、係合素子55と担持体本体51の下縁に置かれ、側面から見ると、約L形状の位置で、外部素子7に半田付け、例えば、回路基板であり、従来の技術と異なるのは、本実施例において、担持体5をひっくり返る必要がなく、図4Bのように、一般的に、更に、担持体本体51の四隅の下縁に、ほぞ59を増設することにより、担持体本体51と外部素子7との連結を強化する。
【００１３】
図4Aは、具体的な実施例であり、改良式担持体5が伸縮可能であるため、支承する圧電シート11のサイズが異なることにしたがって、細微に伸縮するから、仕様上では、大幅に広く対応でき、従来技術において異なる仕様である圧電シート11に対して、独自な鋳型を作る必要がある欠点を解決でき、大幅にコストを節約できる。
【００１４】
図５は、本考案に係わる具体的な実施例であり、圧電変圧器1を設置する実施の態様であり、圧電シート11の工程において、出力端14を圧電シートの傍に設置して、順にリード15及びパッド17を連結し、半田付け点とするパッド17を介して、外部素子7に連結され、半田付けにより、回路を形成する方法であり、入力端13は、圧電シート11の下方に設けられ、従来のリード15とパッド17との代わりに、導電シート18を設置し、そして、圧電変圧器の担持体5工程においては、変化があり、担持体本体51の射出成形した後に、一つの工程を増加して、圧電シート11の付属のリード15を担持体本体51の中に埋め込み、端点部分に、二つのバンプ57から露出する電極19が増設され、リード15のもう一方の端点は、依然として、担持体本体51の外側まで伸ばすパッド17が連結され、また、実行時、圧電シート11の支承方式は、依然として中間拘束帯53によって固定され、また、四つの係合素子55に挟まれ、両バンプ57は、このように変化された後、元の圧電シート11を舞い上げるように支承する作用を持つだけでなく、導電接点とする作用も持ち、他の設計は、前記の実施例と同一であり、この変化例を提供するのは、二つの目的があり、その一つである導電シート18は、直接に担持体本体51上に埋め込まれた、両バンプ57から露出する電極19に連結され、また、担持体本体51を貫通するリード15と、外部素子7とにより、回路が形成され、これにより、一般な、パッド17を適用する時、半田付け点においての溶接フラックスの品質や質量が不均一であることにより導電接点の環境に微妙な差異が発生することを防止でき、そして、導電接点の性能一致性が向上され、他の目的は、導電シート18と電極19とが、接触により、回路を形成するため、半田付け点により回路を成形する時、圧電シート11が高頻度作動することによる、半田付け点が脱落して、接触不良になる状況が改善でき、そのため、圧電シート11が高頻度作動する時の適応性が向上される。
【００１５】
本考案は、改良式圧電変圧器の担持体であり、伸縮可能な特性と、改良された支承方式により、従来技術の製造コストが高く付くことと、設計や応用上の欠点が改良される。以上の説明は、ただ、本考案のより良い実施例であり、それにより、本考案の実施範囲が制限されるものではない。故に、本考案の登録請求の範囲に記載される形状や構造、特徴或いは精神に従って、等価な変化や変更は、すべてが、本考案の登録請求の範囲に含まれている。
【図面の簡単な説明】
【００１６】
【図１Ａ】従来技術の実施例の概念図である。
【図１Ｂ】従来技術の他の実施例の概念図である。
【図２】本考案に係わる改良式圧電変圧器の概念図である。
【図３】本考案の実施例の概念図である。
【図４Ａ】本考案の実施例の上面概念図である。
【図４Ｂ】本考案の実施例の断面概念図である。
【図５】本考案の他の実施例の概念図である。
【符号の説明】
【００１７】
１    圧電変圧器
１１  圧電シート
１３  入力端
１４  出力端
１５  リード
１７  パッド
３    圧電変圧器の担持体
３１  支承槽
３３  突出部
５    改良式圧電変圧器の担持体
５１  担持体本体
５３  中間拘束帯
５５  係合素子
５７  バンプ
５９  ほぞ
７    外部素子